(57)【要約】【課題】スクリーンの張力調整を簡便に行う。【解決手段】スクリーン枠辺長の伸縮可能なスクリーン枠と枠辺にスクリーンを固着したスクリーン掛止具を使用してスクリーンを張設するスクリーン印刷用スクリーン枠の各コーナーの外側の一端から各枠辺内部を貫通して対向する他端コーナーにスクリーン枠辺内中間部に雌螺子を備えた雄螺子受けを設けて他端コーナーの雄螺子受けに螺合する雄螺子とからなるスクリーン辺長の伸縮手段とを設ける。【選択図】図２
2007069618.tif 000002
【特許請求の範囲】
【請求項１】
枠辺長が伸縮可能なスクリーン印刷用スクリーン枠であって、
前記スクリーン印刷用スクリーン枠はコーナーを有する４個のコーナー部材とコーナーを有しない４個の枠辺部材を組み合わせて構成され、
前記各コーナー部材はその外側の一端から前記各枠辺部材内部を貫通して他のコーナー部材に達する雄螺子及び該雄螺子を保持する雄螺子受けを有するとともに前記雄螺子と異なる方向に向かう雌螺子部材を設け、
前記雄螺子と前記雌螺子とを螺合させて前記雄螺子を回転させることにより枠辺長を伸縮する、スクリーン印刷用スクリーン枠。
【請求項２】
４つのＬ字形コーナーと、両端部にＬ字形コーナーを嵌挿できる嵌挿孔を設けた４本の枠辺を前記４個のＬ字形コーナー各端部を前記各枠辺の嵌挿孔に嵌挿して組み立ててスクリーン枠の枠辺長の伸縮手段を設けたスクリーン枠とした、請求項１のスクリーン枠。
【請求項３】
４つのＬ字形コーナーと、両端部にＬ字形コーナーを嵌挿できる嵌挿孔を設けた４本の枠辺を、長辺と短辺からなるＬ字形のスクリーン枠辺の長辺の端部に、対向して配置される他の枠辺の短辺が嵌挿できる嵌挿孔を設けた４本の前記枠辺を、夫々長辺と短辺が向き合う様に配置して、前記各短辺を前記各長辺の嵌挿孔に嵌挿して、スクリーン枠の枠辺長の伸縮手段を設けたスクリーン枠とした、請求項１又は２のスクリーン枠。
【請求項４】
４つのＬ字形コーナーと、両端部にＬ字形コーナーを嵌挿できる嵌挿孔を設けた４本の枠辺をスクリーン枠の各辺の中間位置で分割した４つのＬ字形の枠辺の各端部に補助枠辺を嵌挿する嵌挿孔を設け、前記各Ｌ字形枠の両端部に４本の前記補助枠辺をそれぞれ嵌挿して組み立てて、スクリーン枠の枠辺長の伸縮手段を設けたスクリーン枠とした、請求項１又は２のスクリーン枠。
【請求項５】
スクリーン枠の枠辺長の伸縮手段、水平移動具の水平移動手段及びスクリーン押さえ具のスクリーン押さえ手段は、螺子機構、ギア機構、シリンダー機構、カム機構、スプリング機構、磁力による反発又は引き寄せ機構、楔機構、梃子機構又はスライドする嵌合機構をモーター、空気又は油圧を駆動力とした、請求項１，２，３又は４のスクリーン枠。
【発明の詳細な説明】
【技術分野】
【０００１】
この発明は、スクリーン印刷用のスクリーン枠に関する。
【背景技術】
【０００２】
近年、急速にスクリーン印刷の需要とその対象が拡大して来ている分野がある。その印刷対象物は、プリント基板、ハイブリッドＩＣ、チップ部品、蛍光表示管、プラズマディスプレー、液晶ディスプレー、ＥＬ等の電極や回路形成印刷及び蛍光素材の印刷、隔壁の印刷等電子機器の製造に欠くことのできない基本的な技術に関するものである。
【０００３】
従来、スクリーン印刷用のスクリーン版は、スクリーン版中央部に画像形成予定部を有する伸縮性の少ない主として金属製メッシュを設け、これの支持部として画像形成予定部の周辺部に、比較的弾力性の大きなメッシュを配した、比較的単純な構造のスクリーン版が使用されている。
【０００４】
スクリーン印刷用のスクリーンは、スクリーンに張力を掛けて張設するので、スクリーン枠はこの張力に耐える強度が必要であり、極めて頑丈な木製又は金属製のものが使用される。スクリーン枠が重くて且つ嵩張ったものとなる。
【０００５】
また、後日の再使用のため版を保存するが、しかもスクリーンが枠に張設されたままの状態で保管され、そのため倉庫等の大きな保管場所を必要とする。
【０００６】
また、スクリーンに張力を掛けた状態のまま保管するので、保管中にスクリーンが延びてしまい画像が変形する。
【０００７】
また、スクリーンの加工場所と、画像の形成場所及び印刷場所が、夫々離れた場所であることが多いので、重くて嵩張るスクリーン枠を夫々の場所まで移動、搬送することは、労力を要する。
【０００８】
また、使用済みとなったスクリーン枠を再使用するためにスクリーンを剥がしてクリーニングすることは、労力を要する。
【０００９】
また、スクリーン枠の辺長を自在に調節するスクリーン枠は、スクリーンの牽引手段が大掛かりなものとなり、取り扱いが不便である。
【００１０】
スクリーン枠の辺長を自在に調節するスクリーン枠とスクリーンを固定したスクリーン掛止具とを組み合わせて、スクリーンを張設したり、スクリーンの張設力を調節したり、スクリーンを固定したスクリーン掛止具を脱着自在にすることができれば便利である。
【００１１】
スクリーン枠辺を移動させるスクリーン枠に、スクリーン枠辺に設けた掛止部にスクリーンを固定したスクリーン掛止具を使用して取り付け、スクリーンに印刷可能な張力を持たせたものと、スクリーン枠の辺長を伸縮可能に構成したスクリーン枠に、スクリーンを直接固定して、スクリーンに印刷可能な張力を持たせたものがある。
【００１２】
スクリーン枠の辺長を自在に調節するスクリーン枠とスクリーンを固定したスクリーン掛止具とを組み合わせて、スクリーンを張設したり、スクリーンの張設力を調節したり、スクリーンを固定したスクリーン掛止具を脱着自在にすることができるものが、米国特許３４８２３４３号明細書に示されている。
【００１３】
図１に、米国特許３４８２３４３号明細書に示された構成を示す。
この図において（ａ）は透視概要図、（ｂ）は内部構成を説明するための断面図である。
【００１４】
スクリーン枠は辺を構成する４本の中空部材１３，１３ａ，１３ｂ，１３ｃと、Ｌ字形のコーナー部材１４，１４ａ，１４ｂ，１４ｃから構成されている。
中空部材１３，１３ａ，１３ｂ，１３ｃの内部には雌螺子１６，１６ａ，１６ｂ，１６ｃが形成された各々２個の固定部材１６が収納され、コーナー部材１４，１４ａ，１４ｂ，１４ｃに回転自在に取り付けられた雄螺子１５，１５ａ，１５ｂ，１５ｃが雄螺子が雌螺子１６，１６ａ，１６ｂ，１６ｃと螺合して構成されている。
【００１５】
雄螺子の頂部は、六角レンチで回転させる、六角レンチ用の嵌合孔を設けてある。各雄螺子１５，１５ａ，１５ｂ，１５ｃの頂部は、外部から加えられた回転力が雌螺子に伝達できるように、コーナー部材内に留まるように遊嵌してある。
雄螺子１５，１５ａ，１５ｂ，１５ｃを左右に回転すると、スクリーン枠辺が伸縮する。
【００１６】
この他に、メタルマスク取り付け機構を有するメタルマスクフレームが特開２００１−３４１２７８号公報に示されている。
【００１７】
辺長可変機構を有するスクリーン印刷用フレームが、この他に実開昭５６−９１０５９号公報に示されている。
【特許文献１】米国特許３４８２３４３号明細書
【特許文献２】特開２００１−３４１２７８号公報
【特許文献３】実開昭５６−９１０５９号公報
【発明の開示】
【発明が解決しようとする課題】
【００１８】
本願発明は、簡素な構成で、かつ、容易に伸縮操作を行うことが可能なスクリーン印刷用枠を得ることを課題とする。
【課題を解決するための手段】
【００１９】
本出願に係る発明は以下の手段により課題を解決する。
【００２０】
スクリーン枠辺長の伸縮可能なスクリーン枠と枠辺にスクリーンを固着したスクリーン掛止具を使用してスクリーンを張設するスクリーン印刷用スクリーン枠において、前記各コーナーの外側の一端から前記各枠辺内部を貫通して対向する他端コーナーに雌螺子を設けて、前記他端コーナーの前記雌螺子とからなるスクリーン辺長の伸縮手段とを設ける。
【００２１】
スクリーン枠辺長の伸縮可能なスクリーン枠と枠辺にスクリーンを固着したスクリーン掛止具を使用してスクリーンを張設するスクリーン印刷用スクリーン枠において、前記各コーナーの外側の一端から前記各枠辺内部を貫通して対向する他端コーナーにスクリーン枠辺内中間部に雌螺子を備えた雄螺子受けを設けて、前記他端コーナーの前記雄螺子受けに螺合する雄螺子とからなるスクリーン辺長の伸縮手段とを設けた、スクリーン印刷用スクリーン枠。
【００２２】
４つのＬ字形コーナーと、両端部にＬ字形コーナーを嵌挿できる嵌挿孔を設けた４本の枠辺を前記４個のＬ字形コーナー各端部を前記各枠辺の嵌挿孔に嵌挿して組み立ててスクリーン枠の枠辺長の伸縮手段を設ける。
【００２３】
４つのＬ字形コーナーと、両端部にＬ字形コーナーを嵌挿できる嵌挿孔を設けた４本の枠辺を、長辺と短辺からなるＬ字形のスクリーン枠辺の長辺の端部に、対向して配置される他の枠辺の短辺が嵌挿できる嵌挿孔を設けた４本の前記枠辺を、夫々長辺と短辺が向き合う様に配置して、前記各短辺を前記各長辺の嵌挿孔に嵌挿して、スクリーン枠の枠辺長の伸縮手段を設ける。
【００２４】
４つのＬ字形コーナーと、両端部にＬ字形コーナーを嵌挿できる嵌挿孔を設けた４本の枠辺をスクリーン枠の各辺の中間位置で分割した４つのＬ字形の枠辺の各端部に補助枠辺を嵌挿する嵌挿孔を設け、前記各Ｌ字形枠の両端部に４本の前記補助枠辺をそれぞれ嵌挿して組み立てて、スクリーン枠の枠辺長の伸縮手段を設ける。
【００２５】
スクリーン枠の枠辺長の伸縮手段、水平移動具の水平移動手段及びスクリーン押さえ具のスクリーン押さえ手段は、螺子機構、ギア機構、シリンダー機構、カム機構、スプリング機構、磁力による反発又は引き寄せ機構、楔機構、梃子機構又はスライドする嵌合機構をモーター、空気又は油圧を駆動力とする。
【発明を実施するための最良の形態】
【００２６】
本発明の実施例を説明する。
以下に述べる実施例では、線径５０μｍ、１８０メッシュのポリエステルメッシュ（ＮＢＣ社製）、線径１８μｍ、５００メッシュ、厚１５０μｍのステンレスメッシュ（大阪メッシュ社製）を使用した。
【００２７】
また、シートは、厚さ１００ミクロンのポリエステルシート（東レ社製）、ステンレスシートは、厚さ１５０ミクロンである（新日鉄製）。
【００２８】
また、スクリーン枠に使用した枠は５５０mm×６５０mm、パイプ径３０mm×４０mmである。
【００２９】
金属のメッシュは、金属線、例えばステンレスの細線をメッシュに織ったもので種々のメッシュサイズのものが画像形成部のスクリーンに広く使用されているスクリーンである。
【００３０】
合成樹脂のメッシュは、合成樹脂の繊維例えばポリエステル又はポリイミド繊維をメッシュに織ったものである。
【００３１】
動物原料のメッシュは、代表的なものは絹繊維をメッシュに織ったいわゆるシルクスクリーンである。
【００３２】
植物原料のメッシュは、木綿を初めとする植物繊維をメッシュに織ったものである。
【００３３】
鉱物原料のメッシュは、金属、ガラス繊維などをメッシュに織ったものである。
【００３４】
又はの諸原料の繊維を複合原料として使用してメッシュに織ったものがある。
【００３５】
メッシュ及びシートのスクリーンは、金属、合成樹脂、動物、植物、鉱物又はこれらの複合素材からなるメッシュ又はシートであり、またシートをフォトリソ法、メッキ法、電鋳法、エッチング法、レーザー加工法、パンチング加工法、ルター加工法、機械加工法、成型法又はサンドブラスト法で加工してメッシュを形成し（シート加工メッシュ）、これに画像を形成し又はメッシュに形成する共に、加工により同時に画像を形成したスクリーン印刷用スクリーンである。
【００３６】
図２に示したのは、伸縮可能に構成したスクリーン枠の構造である。なお、この図においてスクリーン掛止具、スクリーン掛止具の掛止部は図示してない。
【００３７】
Ｌ字形のスクリーンコーナー１４，１４ａ，１４ｂ，１４ｃの端部を対向するＬ字形コーナーに摺動可能に嵌装してスクリーン枠を構成する。
【００３８】
スクリーンコーナーの外側に雄螺子１５，１５ａ，１５ｂ，１５ｃを対向するスクリーンコーナーに設けた雌螺子１６，１６ａ，１６ｂ，１６ｃに螺合させてスクリーン枠を組み立てる。
【００３９】
雄螺子の頂部は、六角レンチで回転させる、六角レンチ用の嵌合孔を設けてある。また雄螺子の頂部は、外部から加えられた回転力が雌螺子に伝達できるように、コーナー内に留まるように遊嵌してある。
【００４０】
雄螺子１５，１５ａ，１５ｂ，１５ｃを左右に回転させると、スクリーン枠辺は伸びたり、縮んだりする。
【００４１】
掛止部２５は、スクリーン枠辺全辺又は隣接する２辺又は矩形又は偶数辺の場合は対向する辺のうち１辺のスクリーン枠辺の上面、外側又は内側に設けるが、スクリーン掛止具２２が嵌合する嵌合溝、嵌合突起、嵌合孔又はこれらを複数列に設けて、この掛止部２５にスクリーン掛止具２２を嵌合して、掛止可能としたものである。
【００４２】
スクリーン枠辺に設けた掛止部２５は、スクリーン掛止具２２を掛止部２５に掛止して、次にスクリーン枠を、スクリーン枠辺長の伸縮手段により、枠辺長を伸張させることにより、スクリーンをスクリーン枠に印刷可能な状態に張設し、印刷終了後は、スクリーン枠辺長を伸縮させて、スクリーン掛止具２２を取り外すことができる。
【００４３】
スクリーン枠のスクリーン枠の枠辺長の伸縮手段は、螺子機構、ギア機構、シリンダー機構、カム機構、スプリング機構、磁力による反発又は引き寄せ機構、楔機構、挺子機構又はスライドする嵌合機構をモーター、空気又は油圧を駆動力などで行う。大きなスクリーン枠（例えば２ｍ×２ｍ）では、人力で操作することは、極めて困難であるから、機械装置を必要とする。
【００４４】
図３によりスクリーン枠の伸縮の状態を示す。
この図において、各内側の図は、スクリーン辺長を伸長する前の状態を示し、外側の図は、これを伸長した状態を示している。
【００４５】
（ａ）と（ｃ）に示したスクリーン枠は、２つの辺の長さが同じであり（ｂ）に示したスクリーン枠は、２つの辺の長さが異なっている。
【００４６】
また、（ａ）と（ｃ）に示したスクリーン枠は、コーナー部材と中空部材との嵌合構造が異なっており、（ａ）ではＬ型のコーナー部材１９，１９ａ，１９ｂ，１９ｃがスクリーン辺部材２０，２０ａ，２０ｂ，２０ｃ内に嵌合されるように構成されているが、（ｃ）では逆にスクリーン辺部材２０，２０ａ，２０ｂ，２０ｃがＬ型のコーナー部材１９，１９ａ，１９ｂ，１９ｃ内に嵌合されるように構成されている。
【００４７】
スクリーン辺の切断個所は、１箇所に限定されず、任意の複数箇所を切断した構造とすることも可能である。切断された各辺同士、又はコーナと枠辺、コーナーとコーナーを、反発させ引き寄せ構造で伸縮させる構成にすることも可能である。
【産業上の利用可能性】
【００４８】
この出願に係る発明の構成は、スクリーン印刷用スクリーン以外に、絵画用キャンバス又は宣伝用シートに適用可能である。
【図面の簡単な説明】
【００４９】
【図１】従来技術。
【図２】本発明実施例。
【図３】本発明実施例の動作説明。
【符号の説明】
【００５０】
１４、１４ａ、１４ｂ、１４ｃ  Ｌ字形スクリーンコナー
１５、１５ａ、１５ｂ、１５ｃ  雄螺子
１６、１６ａ、１６ｂ、１６ｃ  雌螺子
１６ｄ  雄螺子受け
１９、１９ａ、１９ｂ、１９ｃ  スクリーン枠コーナー
２０、２０ａ、２０ｂ、２０ｃ  補助枠辺
２０ｄ  伸縮可能なスクリーン枠
２１、２１ａ、２１ｂ、２１ｃ  補助枠辺
【図１】
2007069618.tif 000003
【図２】
2007069618.tif 000004
【図３】
2007069618.tif 000005